(57)【要約】【課題】購入商品が体質改善に及ぼす影響を可視化すること。【解決手段】ライフログ端末２０によるライフログ情報を含む生活習慣情報と、体脂肪計２２及び血圧計２４により測定した利用者の身体情報と、利用者が購入した商品６５の情報とをコンピュータ３０に入力し、該コンピュータ３０が前記入力された各情報をサーバ５０にアップロードし、該サーバ５０がアップロードされた各情報に基づいて各情報の点数化及び集計を行ってコンピュータ３０にダウンロードする健康管理システム。【選択図】図１
2015043119.tif 000002
【特許請求の範囲】
【請求項１】
モーションセンサのセンサ検知に基づいて利用者の複数の行動ログから成るライフログ情報を記録するライフログ端末と、利用者の体重と体脂肪と血圧等の身体情報をディジタル的に測定する身体情報測定機器と、該ライフログ端末及び身体情報測定機器と接続され、ライフログ端末及び身体情報測定機器に記録されたライフログ情報及び身体情報を読み取って集計管理するためのＰＣ管理ソフトウェアがインストールされたコンピュータと、該コンピュータとネットワークを介して接続され、該コンピュータに記録されたライフログ情報及び身体情報を読み込み、該ライフログ情報及び身体情報を分析管理するサーバ管理ソフトウェアがインストールされたサーバと、利用者がコンピュータを用いてネットワークを介してアクセスし、商品の購入や商品等の評価であるクチコミを書き込むことができる商品販売ウェブサイトと、該サーバが管理するライフログ情報等を格納する生活習慣テーブルと、該サーバが管理する身体情報等を格納する健康情報テーブルと、前記利用者が商品販売ウェブサイトから購入した商品の情報を格納する購入商品テーブルとを備える健康管理システムであって、
前記ライフログ端末が利用者の生活活動に基づいて利用者のライフログ情報を記録し、コンピュータに登録する第１工程と、
該第１工程により登録したライフログ情報に基づいて利用者の食事内容と摂取カロリーと喫煙本数とを編集した生活習慣情報を入力する第２工程と、
前記コンピュータが前記身体情報測定機器により測定した利用者の身体情報を入力する第３工程と、
前記コンピュータが利用者が購入した購入商品情報を入力する第４工程と、
前記第２工程から第４工程にて入力した生活習慣情報と身体情報と購入商品情報とをネットワークを介してサーバにアップロードし、生活習慣テーブルと健康情報テーブルと購入商品テーブルに格納する第５工程と、
該第５工程によるアップロードから所定時間経過したか否かを判定し、経過していないと判定したときに前記第１工程に戻る第６工程と、
該第６工程において所定時間経過したと判定したとき、サーバ管理ソフトウェアが前記生活習慣テーブルと健康情報テーブルと購入商品テーブルに格納した生活習慣情報と身体情報と購入商品情報とを参照し、各情報の点数化及び集計を行う第７工程と、
第７工程により集計した集計データをコンピュータにダウンロードする第８工程とを実行することを特徴とする健康管理システム。
【請求項２】
前記第７工程により集計した集計データを商品販売ウェブサイトのクチコミ情報にアップロードするか否かを判定し、アップロードすると判定したときに当該集計情報を商品販売ウェブサイトの該当商品のクチコミ情報にアッブロードし、アップロードしないと判定したときに前記第１工程に戻る第９工程を実行することを特徴とする請求項１記載の健康管理システム。
【請求項３】
前記身体情報測定機器が、ディジタル式の体脂肪計及び血圧計を含むことを特徴とする請求項１又は２記載の健康管理システム。
【請求項４】
モーションセンサのセンサ検知に基づいて利用者の複数の行動ログから成るライフログ情報を記録するライフログ端末と、利用者の体重と体脂肪と血圧等の身体情報をディジタル的に測定する身体情報測定機器と、該ライフログ端末及び身体情報測定機器と接続され、ライフログ端末及び身体情報測定機器に記録されたライフログ情報及び身体情報を読み取って集計管理するためのＰＣ管理ソフトウェアがインストールされたコンピュータと、該コンピュータとネットワークを介して接続され、該コンピュータに記録されたライフログ情報及び身体情報を読み込み、該ライフログ情報及び身体情報を分析管理するサーバ管理ソフトウェアがインストールされたサーバと、利用者がコンピュータを用いてネットワークを介してアクセスし、商品の購入や商品等の評価であるクチコミを書き込むことができる商品販売ウェブサイトと、該サーバが管理するライフログ情報等を格納する生活習慣テーブルと、該サーバが管理する身体情報等を格納する健康情報テーブルと、前記利用者が商品販売ウェブサイトから購入した商品の情報を格納する購入商品テーブルとを備えるコンピュータシステムの健康管理方法であって、
前記ライフログ端末が利用者の生活活動に基づいて利用者のライフログ情報を記録し、コンピュータに登録する第１工程と、
該第１工程により登録したライフログ情報に基づいて利用者の食事内容と摂取カロリーと喫煙本数とを編集した生活習慣情報を入力する第２工程と、
前記コンピュータが前記身体情報測定機器により測定した利用者の身体情報を入力する第３工程と、
前記コンピュータが利用者が購入した購入商品情報を入力する第４工程と、
前記第２工程から第４工程にて入力した生活習慣情報と身体情報と購入商品情報とをネットワークを介してサーバにアップロードし、生活習慣テーブルと健康情報テーブルと購入商品テーブルに格納する第５工程と、
該第５工程によるアップロードから所定時間経過したか否かを判定し、経過していないと判定したときに前記第１工程に戻る第６工程と、
該第６工程において所定時間経過したと判定したとき、サーバ管理ソフトウェアが前記生活習慣テーブルと健康情報テーブルと購入商品テーブルに格納した生活習慣情報と身体情報と購入商品情報とを参照し、各情報の点数化及び集計を行う第７工程と、
第７工程により集計した集計データをコンピュータにダウンロードする第８工程とを実行することを特徴とする健康管理方法。
【請求項５】
前記第７工程により集計した集計データを商品販売ウェブサイトのクチコミ情報にアップロードするか否かを判定し、アップロードすると判定したときに当該集計情報を商品販売ウェブサイトの該当商品のクチコミ情報にアッブロードし、アップロードしないと判定したときに前記第１工程に戻る第９工程を実行することを特徴とする請求項４記載の健康管理方法。
【請求項６】
前記身体情報測定機器が、ディジタル式の体脂肪計及び血圧計を含むことを特徴とする請求項４又は５記載の健康管理方法。
【発明の詳細な説明】
【技術分野】
【０００１】
本発明は、人体の活動を検知するライフログ端末からのライフログ情報と体重や血圧等の身体情報と商品の購入情報に基づいて購入商品が体質改善に及ぼす影響を可視化すると共に商品販売事業者の商品販売促進に使用することができる健康管理システム及び健康管理方法に関する。
【背景技術】
【０００２】
近年、人体の腕等に装着し、内蔵した動きを３Ｄで感知する三軸加速度センサ（モーションセンサ）を使用して、歩数・移動距離・休憩／活動時間などを記録するブレスレット型のライフログ端末が普及しており、該ライフログ端末に記録したライフログ情報をコンピュータやスマートフォンに転送し、該コンピュータやスマートフォンにインストールした管理ソフトウェアによって、利用者の睡眠時間・歩数・移動距離・休憩／活動時間の管理を行うことが行われている。
【０００３】
また、人体の体重・脂肪率・血圧を計測して時系列的に記録し、コンピュータを用いて体重・脂肪率・血圧の変化を管理することができるディジタル式の体脂肪計や血圧計も普及している。
【０００４】
また、一般に健康志向によってダンベル・ベンチ・エアロバイク等の運動用具を購入してもその運動器具による体重低減等の効果と運動量や食事制限等の個人動情報（ライフログ情報）との関係を定量化することは困難であった。
【０００５】
他方、運動器具を販売する商品販売事業者にとって、近年はネットワークを介したウェブサイトに掲載した商品販売ウェブサイトにおいて商品購入者からのクチコミの内容及び点数を公開することによって商品販売を促進することが行われているものの、このクチコミも購入者の主観的な感想であり前記した運動器具による効果と個人動情報（ライフログ情報）との関係を定量化した情報ではないため、信憑性に乏しく、商品販売促進の効果が少ないものであった。
【０００６】
尚、前記ライフログ記録に関する技術が記載された文献としては下記の特許文献１が挙げられ、この特許文献１には、メディア情報を取得するメディア情報取得部と、ユーザの行動を計測する行動センサと、ユーザの状態を計測する状態センサと、ユーザの環境を計測する環境センサと、前記各種センサからのセンサ情報に基づいてユーザの日常度を評価する日常度評価部と、評価処理により得られたユーザの日常度を取得されたメディア情報に関連づけてメディア情報記憶部に書き込む書き込み部とを備えることによって、ユーザの日常度をメディア情報に関連づけることを可能にする技術が記載されている。
【先行技術文献】
【特許文献】
【０００７】
【特許文献１】特開２０１０−７２８１８号公報
【発明の概要】
【発明が解決しようとする課題】
【０００８】
前述の特許文献１に記載の技術は、各種センサを使用して利用者のライフログ記録を行うことができるものの、前述した運動器具による体重低減等の効果と運動量や食事制限等の個人動情報（ライフログ情報）との関係を定量化することができず、更に商品販売事業者にとっても商品購入の効果を定量化したクチコミを利用することが困難であると言う課題があった。
【０００９】
本発明の目的は、前述の従来技術による課題を解決しようとするものであり、人体の活動を検知するライフログ端末からのライフログ情報と体重や血圧等の身体情報と商品の購入情報に基づいて購入商品が体質改善に及ぼす影響を可視化すると共に商品販売事業者の商品販売促進に使用することができる健康管理システム及び健康管理方法を提供することである。
【課題を解決するための手段】
【００１０】
前記目的を達成するため本発明は、モーションセンサのセンサ検知に基づいて利用者の複数の行動ログから成るライフログ情報を記録するライフログ端末と、利用者の体重と体脂肪と血圧等の身体情報をディジタル的に測定する身体情報測定機器と、該ライフログ端末及び身体情報測定機器と接続され、ライフログ端末及び身体情報測定機器に記録されたライフログ情報及び身体情報を読み取って集計管理するためのＰＣ管理ソフトウェアがインストールされたコンピュータと、該コンピュータとネットワークを介して接続され、該コンピュータに記録されたライフログ情報及び身体情報を読み込み、該ライフログ情報及び身体情報を分析管理するサーバ管理ソフトウェアがインストールされたサーバと、利用者がコンピュータを用いてネットワークを介してアクセスし、商品の購入や商品等の評価であるクチコミを書き込むことができる商品販売ウェブサイトと、該サーバが管理するライフログ情報等を格納する生活習慣テーブルと、該サーバが管理する身体情報等を格納する健康情報テーブルと、前記利用者が商品販売ウェブサイトから購入した商品の情報を格納する購入商品テーブルとを備える健康管理システムであって、
前記ライフログ端末が利用者の生活活動に基づいて利用者のライフログ情報を記録し、コンピュータに登録する第１工程と、
該第１工程により登録したライフログ情報に基づいて利用者の食事内容と摂取カロリーと喫煙本数とを編集した生活習慣情報を入力する第２工程と、
前記コンピュータが前記身体情報測定機器により測定した利用者の身体情報を入力する第３工程と、
前記コンピュータが利用者が購入した購入商品情報を入力する第４工程と、
前記第２工程から第４工程にて入力した生活習慣情報と身体情報と購入商品情報とをネットワークを介してサーバにアップロードし、生活習慣テーブルと健康情報テーブルと購入商品テーブルに格納する第５工程と、
該第５工程によるアップロードから所定時間経過したか否かを判定し、経過していないと判定したときに前記第１工程に戻る第６工程と、
該第６工程において所定時間経過したと判定したとき、サーバ管理ソフトウェアが前記生活習慣テーブルと健康情報テーブルと購入商品テーブルに格納した生活習慣情報と身体情報と購入商品情報とを参照し、各情報の点数化及び集計を行う第７工程と、
第７工程により集計した集計データをコンピュータにダウンロードする第８工程とを実行することを第１の特徴とする。
【００１１】
また、本発明は、第１の特徴の健康管理システムにおいて、前記第７工程により集計した集計データを商品販売ウェブサイトのクチコミ情報にアップロードするか否かを判定し、アップロードすると判定したときに当該集計情報を商品販売ウェブサイトの該当商品のクチコミ情報にアッブロードし、アップロードしないと判定したときに前記第１工程に戻る第９工程を実行することを第２の特徴とし、前記何れかの特徴の健康管理システムにおいて、前記身体情報測定機器が、ディジタル式の体脂肪計及び血圧計を含むことを第３の特徴とする。
【００１２】
また、本発明は、モーションセンサのセンサ検知に基づいて利用者の複数の行動ログから成るライフログ情報を記録するライフログ端末と、利用者の体重と体脂肪と血圧等の身体情報をディジタル的に測定する身体情報測定機器と、該ライフログ端末及び身体情報測定機器と接続され、ライフログ端末及び身体情報測定機器に記録されたライフログ情報及び身体情報を読み取って集計管理するためのＰＣ管理ソフトウェアがインストールされたコンピュータと、該コンピュータとネットワークを介して接続され、該コンピュータに記録されたライフログ情報及び身体情報を読み込み、該ライフログ情報及び身体情報を分析管理するサーバ管理ソフトウェアがインストールされたサーバと、利用者がコンピュータを用いてネットワークを介してアクセスし、商品の購入や商品等の評価であるクチコミを書き込むことができる商品販売ウェブサイトと、該サーバが管理するライフログ情報等を格納する生活習慣テーブルと、該サーバが管理する身体情報等を格納する健康情報テーブルと、前記利用者が商品販売ウェブサイトから購入した商品の情報を格納する購入商品テーブルとを備えるコンピュータシステムの健康管理方法であって、
前記ライフログ端末が利用者の生活活動に基づいて利用者のライフログ情報を記録し、コンピュータに登録する第１工程と、
該第１工程により登録したライフログ情報に基づいて利用者の食事内容と摂取カロリーと喫煙本数とを編集した生活習慣情報を入力する第２工程と、
前記コンピュータが前記身体情報測定機器により測定した利用者の身体情報を入力する第３工程と、
前記コンピュータが利用者が購入した購入商品情報を入力する第４工程と、
前記第２工程から第４工程にて入力した生活習慣情報と身体情報と購入商品情報とをネットワークを介してサーバにアップロードし、生活習慣テーブルと健康情報テーブルと購入商品テーブルに格納する第５工程と、
該第５工程によるアップロードから所定時間経過したか否かを判定し、経過していないと判定したときに前記第１工程に戻る第６工程と、
該第６工程において所定時間経過したと判定したとき、サーバ管理ソフトウェアが前記生活習慣テーブルと健康情報テーブルと購入商品テーブルに格納した生活習慣情報と身体情報と購入商品情報とを参照し、各情報の点数化及び集計を行う第７工程と、
第７工程により集計した集計データをコンピュータにダウンロードする第８工程とを実行することを第４の特徴とする。
【００１３】
また、本発明は、第４の特徴の健康管理方法において、前記第７工程により集計した集計データを商品販売ウェブサイトのクチコミ情報にアップロードするか否かを判定し、アップロードすると判定したときに当該集計情報を商品販売ウェブサイトの該当商品のクチコミ情報にアッブロードし、アップロードしないと判定したときに前記第１工程に戻る第９工程を実行することを第５の特徴とし、前記何れかの特徴の健康管理方法において、前記身体情報測定機器が、ディジタル式の体脂肪計及び血圧計を含むことを第６の特徴とする。
【発明の効果】
【００１４】
本発明による健康管理システム及び健康管理方法は、ライフログ端末による利用者のライフログ情報に基づいて利用者の食事内容と摂取カロリーと喫煙本数とを編集した生活習慣情報と、身体情報測定機器により測定した利用者の身体情報と、利用者が購入した購入商品情報とをコンピュータに入力し、該コンピュータが入力された生活習慣情報と身体情報と購入商品情報とをネットワークを介してサーバにアップロードし、該サーバがアップロードされた生活習慣テーブルと健康情報テーブルと購入商品テーブルに格納すると共にこれに各情報に基づいて各情報の点数化及び集計を行ってコンピュータにダウンロードすることにより、ライフログ情報と身体情報と購入商品の各情報に基づいて購入商品が体質改善に及ぼす影響を可視化することができ、この可視化したクチコミを商品販売ウェブサイトの該当商品のクチコミ情報にアッブロードすることにより商品販売事業者の商品販売促進に使用することができる。
【図面の簡単な説明】
【００１５】
【図１】本発明の実施形態による健康管理システムの構成を示す図。
【図２】本実施形態によるライフログ記録例を示す図。
【図３】本実施形態による各種テーブルの構成を示す図。
【図４】本実施形態による健康管理システムの処理フローを示す図。
【発明を実施するための形態】
【００１６】
以下、本発明による健康管理方法を適用した健康管理システムの一実施形態を図面を参照して詳細に説明する。
［構成］
本実施形態による健康管理システムは、図１に示す如く、モーションセンサやＧＰＳセンサ等を搭載して利用者１０の動きによる各種センサ検知に基づいて利用者のライフログ情報を記録するライフログ端末２０と、該利用者の体重及び体脂肪をディジタル的に計測する体脂肪計２２と、該利用者の血圧をディジタル的に測定するための血圧計２４と、該ライフログ端末２０と身体情報測定機器（体脂肪計２２及び血圧計２４）と無線又は有線等の接続手段２１又は２３により接続され、ライフログ端末２０・体脂肪計２２・血圧計２４に記録されたライフログ情報及び身体情報（体重・体脂肪率・血圧）を読み取って集計管理するためのＰＣ管理ソフトウェアがインストールされたコンピュータ３０と、該コンピュータ３０とネットワーク４０を介して接続され、該コンピュータ３０に記録されたライフログ情報及び身体情報を読み込み、該ライフログ情報及び身体情報を分析管理するサーバ管理ソフトウェアがインストールされたサーバ５０と、利用者１０がコンピュータ３０を用いてネットワーク４０を介してアクセスし、商品の購入や商品等の評価であるクチコミを書き込むことができる商品販売ウェブサイト６０と、該サーバ５０が管理するライフログ情報等を格納する生活習慣テーブル５１と、該サーバ５０が管理する身体情報等を格納する健康情報テーブル５２と、前記利用者が商品販売ウェブサイト６０から購入した商品６５（本例では、ダンベル）の情報を格納する購入商品テーブル５３とを備えるコンピュータシステムから構成される。
【００１７】
ここで、本実施形態によるライフログ端末２０が記録するライフログ情報は、例えば、図２に示す如く、利用者１０が、朝６時過ぎに起床してから、休息（トイレ、洗面等）、朝食、朝ランニング、電車出勤、デスクワーク、１２時から昼食、顧客への電車移動、顧客訪問先での会議、帰宅のための電車移動、自宅にて運動、夕食、テレビ鑑賞等の安静、０時過ぎに睡眠とする。尚、実際には、更に詳細な行動を伴うものであるが、本実施形態においては理解を容易にするために詳細は省略しており、利用者の個々の各行動を行動ログと呼び、このようなライフログ情報は、ライフログ端末２０が、三軸加速度センサ（モーションセンサ）やＧＰＳ情報を使用して、徒歩による歩数数、移動距離、休憩状態、運動状態等を識別して記録され、後述する食事内容（Ｋｃａｌを含む）や喫煙本数や飲食時のアルコール摂取量はライブログ情報を収集したコンピュータ３０のＰＣ管理ソフトウェアを使用して利用者が手入力又はスマートフォンの写真撮影画像等によって生活習慣情報に格納されるものとする。
【００１８】
この生活習慣テーブル５１に記録される生活習慣情報は、例えば、図３（ａ）に示す如く、日付毎に、睡眠（時間）と安静（時間）と徒歩（時間／歩数）とランニング（時間）とデスクワーク（時間）と朝食・昼食・夕食内容（食事内容及びＫｃａｌ）と飲食によるアルコール（量／Ｋａｃｌ）と喫煙（本数）の各項目情報が格納される。
【００１９】
前記健康情報テーブル５２に格納される身体情報は、図３（ｂ）に示す如く、日付毎に、体重（Ｋｇ）と体脂肪（％）と最高血圧（ｍｍＨｇ）と最低血圧（ｍｍＨｇ）の各項目情報とから成り、身体情報これらに限られるものではない。
【００２０】
前記購入商品テーブル５３は、例えば、利用者が健康促進のためネットワーク４０を介して商品販売ウェブサイト６０から購入した商品を格納するものであって、図３（ｃ）に示す如く、２０１３／１０／１１に商品「ダンベル」を購入し、２０１３／１０／１２に商品「サプリメント」を購入した如く格納され、この商品情報は、利用者が手入力によりコンピュータ３０のＰＣ管理ソフトウェアを使用して入力することや、ＰＣ管理ソフトウェアが利用者の操作（マウスクリック、キーボード入力その他）に基づいて商品購入履歴を監視しての入力や、ＰＣ管理ソフトウェアが商品販売ウェブサイト６０を自動閲覧して入力することができる。
【００２１】
［動作］
さて、このように構成された本実施形態による健康管理システムは、図４に示す如く、利用者の通常の生活活動に基づいてライフログ端末２０が利用者のライフログ情報を記録し、コンピュータ３０に登録するステップＳ４０１と、該ステップＳ４０１により登録したライフログ情報に基づいて利用者が食事内容（Ｋｃａｌを含む）や喫煙本数や飲食時のアルコール摂取量等の情報を編集した生活習慣情報を入力するステップＳ４０２と、体脂肪計２２で計測した利用者の体重・体脂肪並びに血圧計２４により計測した利用者の血圧等の身体情報をコンピュータ３０が入力するステップＳ４０３と、コンピュータ３０が利用者操作他の手段によって購入した健康器具等の購入商品情報を入力するステップＳ４０４と、前記ステップＳ４０２〜Ｓ４０４にて入力した生活習慣情報と身体情報と購入商品情報とをネットワーク４０を介してサーバ５０にアップロードし、各情報を生活習慣テーブル５１・健康情報テーブル５２・購入商品テーブル５３に格納するステップＳ４０５と、該ステップＳ４０５によるアップロードから所定時間（例えば、１日に１回データ更新を行う場合は２４時間）経過したか否かを判定し、経過していないと判定したときに前記ステップＳ４０１に戻るステップＳ４０６と、該ステップＳ４０６において所定時間経過したと判定したとき、サーバ５０のサーバ管理ソフトウェアが前記生活習慣テーブル５１・健康情報テーブル５２・購入商品テーブル５３に格納した生活習慣情報と身体情報と購入商品情報とを参照し、各情報の点数化及び集計を行うステップＳ４０７と、該ステップＳ４０７により集計した集計データをコンピュータ３０にダウンロードするステップＳ４０８と、利用者の判断により前記集計データを商品販売ウェブサイト６０のクチコミ情報にアップロードするか否かを判定し、アップロードすると判定したときに当該集計情報を商品販売ウェブサイト６０の該当商品のクチコミ情報にアッブロードし、アップロードしないと判定したときに前記ステップＳ４０１に戻るステップＳ４０９とほ実行するように動作する。
【００２２】
前記ステップＳ４０７による生活習慣情報と身体情報と購入商品情報との点数化・集計は、運動量の増加や食事カロリー・体重・体脂肪の低下をプラス加点とし、運動量の低下・体重・体脂肪の増加をマイナス加点とし、日毎の点数を計算して毎日の変化として集計することが挙げられ、日毎に変化するグラフ等の目視容易な形式に変換することが望ましい。
【００２３】
このように本実施形態による健康管理システムは、利用者のライフログ情報らーに基づく生活習慣情報と、体脂肪計２２及び血圧計２４により測定した体重等の身体情報と、健康器具等の購入商品情報とを関連付けることによって、例えば、ダンベルを購入し、毎日の帰宅後に自宅にてダンベルを使用した自宅運動を行い、この結果、体重・体脂肪が減少したことや血圧が適正化したことを定量化することができる。このため本健康管理システムは、購入商品の利用や生活習慣により定量化した健康状態の変化を把握することができると共に、商品販売ウェブサイト６０のクチコミ情報を参照した他の消費者も定量化データに基づいて商品の価値等を把握し、商品販売を促進することができる。
【符号の説明】
【００２４】
１０  利用者、２０  ライフログ端末、２１  接続手段、２２  体脂肪計、
２４  血圧計、３０  コンピュータ、４０  ネットワーク、
５０  サーバ、５１  生活習慣テーブル、５２  健康情報テーブル、
５３  購入商品テーブル、５５  購入商品、６０  商品販売ウェブサイト
【図２】
2015043119.tif 000003
【図３】
2015043119.tif 000004
【図４】
2015043119.tif 000005
【図１】
2015043119.tif 000006